(57)【要約】【課題】音量調整スライドバーを用いて音量調整を行う際に最大音量を容易に設定することができる車載用電子機器を提供する。【解決手段】音量制限釦３２が音量調整スライドバーに設けることによって、最大音量を、音量設定釦３２によって設定された音量に容易に制限することができるので、音量調整スライドバーを用いて音量調整を行う際に最大音量を容易に設定することができる。また、音量増大釦３４を音量設定釦３１に対して右側に配置するとともに、音量減少釦３５を音量設定釦に対して左側に配置する。これによって、最大音量の微調整が容易になり、音量調整スライドバーを用いて音量調整を行う際に最大音量を更に容易に設定することができる。【選択図】図８
2010036620.tif 000002
【特許請求の範囲】
【請求項１】
タッチパネルディスプレイが嵌め込まれたパネルを有する車載用電子機器であって、
前記タッチパネルディスプレイが、前記車載用電子機器の操作に応じて出力される音量を調整するための音量調整スライドバーを表示し、
前記音量スライドバーが、
音量を設定する音量設定釦と、
最大音量を、前記音量設定釦によって設定された音量に制限する音量制限釦と、
を有することを特徴とする車載用電子機器。
【請求項２】
前記音量調整スライドバーが、前記音量設定釦に対して右側に配置された音量増大釦と、前記音量設定釦に対して左側に配置された音量減少釦とを有する請求項１記載の車載用電子機器。
【請求項３】
前記音量制限釦を前記音量増大釦の右側に配置した請求項２記載の車載用電子機器。
【請求項４】
前記音量調整スライドバーが、音量を数値とグラデーションのうちの少なくとも一方によって表示する請求項１から３のうちのいずれか１項に記載の車載用電子機器。
【請求項５】
前記音量調整スライドバーを、前記車載用電子機器の操作によって非表示状態にできるようにした請求項１から４のうちのいずれか1項に記載の車載用電子機器。
【請求項６】
前記音量調整スライドバーを前記タッチパネルディスプレイの下側に平行に配置した請求項１から５のうちのいずれか1項に記載の車載用電子機器。
【発明の詳細な説明】
【技術分野】
【０００１】
本発明は、車両に搭載されるナビゲーションシステムや音響装置のような車載用電子機器に関する。
【背景技術】
【０００２】
従来の一般的な音響装置では、ノブの回転操作によって音量調整が行われている。このようにノブの回転操作によって音量調整が行われる音響装置において、音量設定レベルに応じて色相を変化させ、上限値設定スイッチが操作されたときの音量設定レベルを音量設定レベルの上限値として保持することが提案されている（例えば、特許文献１，２）。
【０００３】
音響装置を車載用電子機器において用いる場合、車載用電子機器には多数の入口スイッチが設けられており、ユーザは、目的の操作を行うためにどの入口スイッチを使用すべきかわからないために混乱が生じることがある。このような混乱を回避するために、車載用電子機器においては、音量調整がタッチパネルディスプレイによって行われる傾向にある。
【０００４】
タッチパネルディスプレイによって音量調整を行う場合、所望の音量に設定するために、タッチパネルディスプレイに表示される音量増大釦又は音量減少釦を複数回押圧する必要があり、ユーザの操作回数が増大する。ユーザの操作回数を減少するために、タッチパネルディスプレイに表示される音量調整スライドバーを用いて音量調整を行うことも提案されている。この場合、音量を設定する音量設定釦を一度押圧してスライドすることによって、所望の音量に調節することができる。
【０００５】
【特許文献１】特開２００５−１９８３５６号公報
【特許文献２】特開２００３−６９３５４号公報
【発明の開示】
【発明が解決しようとする課題】
【０００６】
しかしながら、音量調整スライドバーを用いる場合には、ユーザの誤操作によって突然音量が増大することがある。このようなユーザの誤操作を防止するために最大音量制限機能を有する車載用電子機器も提案されているが、最大音量制限機能の設定がタッチパネルディスプレイ上で行われずに車載用電子機器に設けられた釦によって行われるので、最大音量制限機能の設定が困難となる。
【０００７】
本発明の目的は、音量調整スライドバーを用いて音量調整を行う際に最大音量を容易に設定することができる車載用電子機器を提供することである。
【課題を解決するための手段】
【０００８】
本発明は、タッチパネルディスプレイが嵌め込まれたパネルを有する車載用電子機器であって、
前記タッチパネルディスプレイが、前記車載用電子機器の操作に応じて出力される音量を調整するための音量調整スライドバーを表示し、
前記音量スライドバーが、
音量を設定する音量設定釦と、
最大音量を、前記音量設定釦によって設定された音量に制限する音量制限釦と、を有することを特徴とする。
【発明の効果】
【０００９】
本発明によれば、音量制限釦が音量調整スライドバーに設けられているので、最大音量を、音量設定釦によって設定された音量に容易に制限することができる。その結果、音量調整スライドバーを用いて音量調整を行う際に最大音量を容易に設定することができる。
【００１０】
本発明によれば、音量増大釦を音量設定釦に対して右側に配置するとともに、音量減少釦を音量設定釦に対して左側に配置しているので、最大音量の微調整が容易になる。その結果、音量調整スライドバーを用いて音量調整を行う際に最大音量を更に容易に設定することができる。
【００１１】
本発明によれば、音量制限釦を音量増大釦の右側に配置するので、本来の最大音量と現在設定されている最大音量との関係を理解することができる。その結果、音量調整スライドバーを用いて音量調整を行う際に最大音量を更に容易に設定することができる。
【００１２】
本発明によれば、音量調整スライドバーが、音量を数値とグラデーションのうちの少なくとも一方によって表示するので、最大音量を容易に確認することができる。その結果、音量調整スライドバーを用いて音量調整を行う際に最大音量を更に容易に設定することができる。
【００１３】
本発明によれば、音量調整スライドバーを、車載用電子機器の操作（例えば、車載用電子機器に設けられたノブの押圧）によって非表示状態にできるようにするので、最大音量を、必要な場合にのみタッチパネルディスプレイに表示して設定することができる。その結果、音量調整スライドバーを用いて音量調整を行う際に最大音量を更に容易に設定することができる。
【００１４】
本発明によれば、音量調整スライドバーをタッチパネルディスプレイの下側に平行に配置するので、ユーザは音量調整スライドバーをタッチパネルディスプレイに沿って操作することができる。その結果、音量調整スライドバーを用いて音量調整を行う際に最大音量を更に容易に設定することができる。
【発明を実施するための最良の形態】
【００１５】
本発明による車載用電子機器の実施の形態を、図面を参照しながら詳細に説明する。なお、図面中、同一構成要素には同一符号を付す。
図１は、車載用電子機器の一実施の形態の正面図であり、図２は、図１に示す車載用電子機器のＩ−Ｉ断面図である。
【００１６】
図１に示す車載用電子機器は、機能としての設定、オーディオ、電話接続及びナビゲーションのモード画面を表示するタッチパネルディスプレイ１が嵌め込まれたパネル２を有する。また、パネル２には、パネル２に対して上下左右のスライド移動、回転及び押圧の操作ができるノブ３が取り付けられている。
【００１７】
タッチパネルディスプレイ１には、後に詳しく説明するようにしてノブ３の操作によって選択された階層のモード画面の他に各モードの階層を示すタグ部４ａ，４ｂ，４ｃと、オーディオ等の音量を調整するための音量調整バー５と、を表示する。
【００１８】
パネル２には、設定の表示６ａ、オーディオの表示６ｂ、電話接続の表示６ｃ及びナビゲーションの表示６ｄが付されており、ノブ３の上下のスライド移動によって設定、オーディオ、電話接続又はナビゲーションの機能が選択されると、対応する発光ダイオード（ＬＥＤ）７ａ，７ｂ，７ｃ，７ｄによって設定の表示６ａ、オーディオの表示６ｂ、電話接続の表示６ｃ又はナビゲーションの表示６ｄが点灯する。このように設定の表示６ａ、オーディオの表示６ｂ、電話接続の表示６ｃ及びナビゲーションの表示６ｄをパネル２に付すことによって、車載用電子機器の機能の種類と単一のノブの操作との対応が更に明確になるので、ユーザが単一のノブ３を用いて更に容易に機能の種類を選択することができる。
【００１９】
パネル２には、ノブ３の上下左右を示すようノブ３が取り付けられた位置の周辺で照明装置としてのＬＥＤ８ａ，８ｂ，８ｃ，８ｄも嵌め込まれている。このようにＬＥＤ８ａ，８ｂ，８ｃ，８ｄをパネル２に嵌め込むことによって、ノブ３の回転量に関係なくノブの上下方向を正確に示すことができるので、ノブ３の可動方向をユーザによって容易に判断することができる。
【００２０】
本実施の形態において、ノブ３の上下のスライド移動を示すためにＬＥＤ８ａ，８ｃから出射される光の色を第１の色（例えば、青色）とするとともに、ノブ３の左右のスライド移動を示すためにＬＥＤ８ｂ，８ｄから出射される光の色を第２の色（例えば、白色）とする。ノブ３の上下のスライド移動を示すためにＬＥＤ８ａ，８ｃから出射される光の色が、ノブ３の左右のスライド移動を示すためにＬＥＤ８ｂ，８ｄから出射される光の色と異なるので、ノブ３の上下のスライド移動の操作によって行われる車載用電子機器の動作の属性（この場合、画面モードの切替）がノブ３の左右のスライド移動の操作によって行われる車載用電子機器の動作の属性（この場合、階層切替）と異なることを、ユーザに示すことができる。その結果、車載用電子装置の動作の属性に応じたノブ３の可動方向をユーザによって容易に判断することができる。
【００２１】
本実施の形態によれば、アクリルやポリカーボネードのような光透過性樹脂９ａをノブ３とＬＥＤ８ａ，８ｂ，８ｃ，８ｄとの間に設ける。これによって、ＬＥＤ８ａ，８ｂ，８ｃ，８ｄから出射された光が光透過性樹脂９ａを透過するので、ノブ３の可動方向がユーザに更にわかりやすくなり、ノブ３の可動方向をユーザによって更に容易に判断することができる。
【００２２】
また、光透過性樹脂９ｂをノブ３の上面にも設ける。これによって、ＬＥＤ８ａ，８ｂ，８ｃ，８ｄから出射された光がノブ３の上面まで透過するので、ノブ３の可動方向がユーザに一層わかりやすくなり、ノブ３の可動方向をユーザによって一層容易に判断することができる。
【００２３】
図３は、車載用電子機器の一実施の形態のノブの操作を説明するための図であり、図４は、ノブの操作によるタッチパネルディスプレイの表示画像の変化を示す図である。画像モードを設定、オーディオ、電話接続及びナビゲーションの間で切り替えるために、ノブ３を上方向Ａ又は下方向Ｂにスライド移動する。また、同一画像モードにおいて階層遷移を行うために、ノブ３を左方向Ｃ又は右方向Ｄにスライド移動する。さらに、タッチパネルディスプレイ１に表示される機能に関する項目の選択を行うために、ノブを時計回りＥ又は反時計回りＦに回転してリストスクロールを行う。なお、決定のためにノブ３の押圧を行うこともできる。
【００２４】
オーディオの最上位階層の画面１１がタッチパネルディスプレイ１に表示されているときにノブ３を上方向Ａに１回スライド移動した場合、ＬＥＤ８ａが１回点滅し、タッチパネルディスプレイ１には、設定の前回表示した階層の画面（例えば、設定の最上位階層の画面１２）が表示される。
【００２５】
オーディオの最上位階層の画面１１がタッチパネルディスプレイ１に表示されているときにノブ３を下方向Ｂに１回スライド移動した場合、ＬＥＤ８ｂが１回点滅し、タッチパネルディスプレイ１には、電話接続の前回表示した階層の画面（例えば、電話接続の最上位階層の画面１３）が表示される。
【００２６】
オーディオの最上位階層の画面１１がタッチパネルディスプレイ１に表示されているときにノブ３を下方向Ｂに２回スライド移動した場合、ＬＥＤ８ｂが２回点滅し、タッチパネルディスプレイ１には、ナビゲーションの前回表示した階層の画面（例えば、ナビゲーションの最上位階層の画面１４）が表示される。
【００２７】
オーディオの最上位階層の画面１１において、ノブ３を時計回りＥ又は反時計回りＦに回転することによってリストスクロールし、ｉｐｏｄ（登録商標）を選択した後にノブ３を右方向Ｄに１回スライド移動すると、ＬＥＤ８ｄが１回点滅し、オーディオの第２階層の画面１５に遷移する。
【００２８】
なお、ｉｐｏｄ（登録商標）を選択した後にノブ３を右方向Ｄに２回スライド移動すると、ＬＥＤ８ｄが２回点滅し、オーディオの第３階層の画面１６に遷移し、ｉｐｏｄ（登録商標）を選択した後にノブ３を右方向Ｄに３回スライド移動すると、ＬＥＤ８ｄが３回点滅し、オーディオの最下位階層の画面１５に遷移する。
【００２９】
オーディオの最下位階層の画面１７においてノブ３を左方向Ｃに１回スライド移動すると、ＬＥＤ８ｃが１回点滅し、オーディオの第３階層の画面１６に戻る。同様に、オーディオの最下位階層の画面１７においてノブ３を左方向Ｃに２回スライド移動すると、ＬＥＤ８ｃが２回点滅し、オーディオの第２階層の画面１５に戻り、オーディオの最下位階層の画面１７においてノブ３を左方向Ｃに３回スライド移動すると、ＬＥＤ８ｃが３回点滅し、オーディオの最上位階層の画面１１に戻る。
【００３０】
本実施の形態によれば、画像モードの切替を、ノブ３の上下のスライド移動に応じて順次行うとともに、同一画像モードの階層の遷移を、ノブ３の左右のスライド移動に応じて順次行うことによって、車載用電子機器の機能の種類及び階層と単一のノブ３の操作との対応をとることができるので、ユーザが単一のノブ３を用いて容易に機能の種類及び階層を選択することができる。
【００３１】
また、ノブ３が操作されたことを示すためにＬＥＤ８ａ，８ｂ，８ｃ，８ｄを点滅するので、ノブ３の上下左右のスライド移動の操作が行われたことをユーザによって確認することができる。
【００３２】
オーディオの最上位階層の画面１１がタッチパネルディスプレイ１に表示されている場合、ノブ３の上方向Ａ、下方向Ｂ及び右方向Ｄへのスライド移動が有効であるとともにノブ３の左方向Ｃへのスライド移動が有効でないことを示すために、ＬＥＤ８ａ，８ｂ，８ｄを点灯するとともにＬＥＤ８ｃを消灯する。
【００３３】
設定の最上位階層の画面１２がタッチパネルディスプレイ１に表示されている場合、ノブ３の下方向Ｂ、左方向Ｃ及び右方向Ｄへのスライド移動が有効であるとともにノブ３の上方向Ａへのスライド移動が有効でないことを示すために、ＬＥＤ８ｂ，８ｃ，８ｄを点灯するとともにＬＥＤ８ａを消灯する。
【００３４】
ナビゲーションの最上位階層の画面１４がタッチパネルディスプレイ１に表示されている場合、ノブ３の上方向Ａ、左方向Ｃ及び右方向Ｄへのスライド移動が有効であるとともにノブ３の下方向Ｂへのスライド移動が有効でないことを示すために、ＬＥＤ８ａ，８ｃ，８ｄを点灯するとともにＬＥＤ８ｂを消灯する。
【００３５】
オーディオの最下位階層の画面１７がタッチパネルディスプレイ１に表示されている場合、ノブ３の上方向Ａ、下方向Ｂ及び左方向Ｃへのスライド移動が有効であるとともにノブ３の右方向Ｄへのスライド移動が有効でないことを示すために、ＬＥＤ８ａ，８ｂ，８ｃを点灯するとともにＬＥＤ８ｄを消灯する。
【００３６】
このようにノブ３の上下左右のスライド移動の操作を有効にすることができるか否かを示すためにＬＥＤ８ａ，８ｂ，８ｃ，８ｄを点灯又は消灯するので、ノブ３の上下左右のスライド移動の操作の有効性をユーザに示すことができ、ノブの可動方向をユーザによって更に容易に判断することができる。
【００３７】
オーディオの最下位階層の画面１７において階層遷移を行うに際し、ユーザがタグ４ａをタッチすることによってオーディオの最上位階層の画面１１に戻り、ユーザがタグ４ｂをタッチすることによってオーディオの第２階層の画面１５に戻り、ユーザがタグ４ｃをタッチすることによってオーディオの第３階層の画面１１に戻ることもできる。
【００３８】
このようにタッチパネルディスプレイ２に階層に関するタグ部４ａ，４ｂ，４ｃを表示させ、選択されたタグ部４ａ，４ｂ，４ｃに対応する階層への遷移を行うので、ユーザはタグ部４ａ，４ｂ，４ｃの選択に応じて所望の階層に遷移することができ、ユーザが単一のノブ３を用いて更に容易に機能の階層を選択することができる。
【００３９】
本実施の形態によれば、第１の画面モードから第２の画面モードに切り替えると、第２の画面モードの前回表示された階層を表示する。例えば、オーディオの第２階層の画面１５において画面モードを設定に切り替えた後に画面モードをオーディオに戻すと、オーディオの最上位階層の画面１１ではなくオーディオの第２階層の画面１５に戻る。
【００４０】
このように第１の画面モードから第２の画面モードに切り替えると、第２の画面モードの前回表示された階層を表示するので、ユーザは第２の画面モードの前回表示された階層を利用することができ、ユーザが単一のノブを用いて容易に機能の階層を選択することができる。
【００４１】
また、ノブ３を用いて曲の早送りや巻き戻しを行うときのようにノブ３の上下左右のスライド移動の操作が所望されないときには、ＬＥＤ８ａ，８ｂ，８ｃ，８ｄを消灯する。これによって、ノブの可動方向がないことをユーザに示すことができ、ノブの可動方向がないことをユーザによって容易に判断することができる。
【００４２】
また、ノブ３の１回転の操作が機能の項目に関する動作全体に対応するようにする、例えば、曲の早送りや巻き戻しの際にノブ３の１回転が１曲に対応するようにすることによって、車載用電子機器の機能の種類と単一のノブ３の操作との対応が更に明確になり、ユーザが単一のノブ３を用いて更に容易に機能の種類を選択することができる。
【００４３】
さらに、ノブ３の回転の操作が速くなるに従って機能の項目に関する動作が速くなるようにする、例えば、ノブ３の回転の操作が速くなるに従って曲の早送り又は巻き戻しを速くすることによって、車載用電子機器の機能の種類と単一のノブ３の操作との対応が更に明確になり、ユーザが単一のノブ３を用いて更に容易に機能の種類を選択することができる。
【００４４】
なお、ナビゲーション等を行う場合には、ノブ３が右上方向Ｇ、右下方向Ｈ、左上方向Ｉ及び左下方向Ｊのスライド移動の操作もできるようにすることによって、車載用電子機器の機能の種類と単一のノブ３の操作との対応が更に明確になり、ユーザが単一のノブ３を用いて更に容易に機能の種類を選択することができる。
【００４５】
図５Ａ〜Ｄは、タッチパネルディスプレイの画面遷移の一例を示す図である。図５Ａ〜Ｄにおいて、第１列は、ナビゲーション、電話接続、オーディオ及び設定の画面モードのトップ画面をそれぞれ表す。
【００４６】
ナビゲーションの画面モードにおいて、リストスクロールによってＮａｖｉの項目が選択されると、リスト構造の画面及びステータス表示の画面に順に遷移する。
【００４７】
電話接続の画面モードにおいて、リストスクロールによってＰｈｏｎｅ，Ｃｏｎｔａｃｔｓ，Ｃａｌｌ  Ｈｉｓｔｏｒｙ，Ｒｅｄｉａｌ又はＫＥＹの項目が選択される。Ｐｈｏｎｅの項目が選択されると、タッチ操作の画面及びステータス表示の画面に順に遷移する。Ｃｏｎｔａｃｔの項目が選択されると、第１〜第３のリスト構造の画面に順に遷移する。Ｃａｌｌ  Ｈｉｓｔｏｒｙの項目が選択されると、第１及び第２のリスト構造の画面に順に遷移する。Ｒｅｄｉａｌの項目が選択されると、単一のリスト構造の画面に遷移する。ＫＥＹの項目が選択されると、タッチ操作の画面に遷移する。
【００４８】
オーディオの画面モードにおいて、リストスクロールによってｉＰｏｄ（登録商標）、ＣＤ，ＡＭ−Ａ，ＦＭ−Ａ又はＤＶＤの項目が選択される。ｉＰｏｄ（登録商標）の項目が選択されると、第１及び第２のリスト構造の画面及びステータス表示の画面に順に遷移する。ＣＤ，ＡＭ−Ａ，ＦＭ−Ａ又はＤＶＤの項目が選択されると、リスト構造の画面及びステータス表示の画面に順に遷移する。
【００４９】
設定の画面モードにおいて、リストスクロールによって共通設定、音設定２又は画質調整の項目が選択される。共通設定の項目が選択されると、共通設定のトップ画面に遷移する。音設定２の項目が選択されると、音設定２のトップ画面及びタッチ操作の画面に順に遷移する。画質調整の項目が選択されると、タッチ操作の画面に遷移する。
【００５０】
図６は、車載用電子機器の一実施の形態のブロック図である。図６において、コントローラ２１は、ノブ３の上下左右方向の動きを検出する移動検出スイッチ３ａ、ノブ３の回転を検出するロータリースイッチ３ｂ及びノブ３の押圧を検出する押圧スイッチ３ｃの動作に基づいて、スイッチ２２ａ，２２ｂ，２２ｃ，２２ｄの動作を制御して電源２３からＬＥＤ８ａ，８ｂ，８ｃ，８ｄへの電力供給を制御し、これまで説明したようなＬＥＤ８ａ，８ｂ，８ｃ，８ｄの点灯、消灯又は点滅を行う。
【００５１】
コントローラ２１には、これまで説明したようなＬＥＤ８ａ，８ｂ，８ｃ，８ｄ、オーディオユニット２４、設定ユニット２５、ナビゲーション装置２６及び電話接続ユニット２７の動作を制御するためのソフトウェアやタッチパネルディスプレイ２に表示すべき画像が格納されたメモリ２８が接続されている。メモリ２８には、これまで説明したようなタッチパネルディスプレイ２のタグ部４ａ，４ｂ，４ｃの動作を制御するためのソフトウェア及び後に説明するようなタッチパネルディスプレイ２の音量調整バー５の動作を制御するためのソフトウェアも格納している。
【００５２】
図７は、車載用電子機器の一実施の形態の動作のフローチャートである。本ルーチンは、図示しないイグニションスイッチがオンされると同時に開始し、先ず、ステップＳ１において、ノブ３が上又は下にスライド移動したか否か判断する。ノブ３が上又は下にスライド移動したと判断した場合、ステップＳ２において、ノブ３のスライド移動が有効であるか否か、すなわち、ノブ３を更に上又は下にスライド移動して画面モードを切り替えることができるか否か判断する。ノブ３のスライド移動が有効であると判断した場合、ステップＳ３において、タッチパネルディスプレイ２の画面モードを切り替える。
【００５３】
その後、ステップＳ４において、次回のルーチンにおいて同一方向のスライド移動が有効であるか否か、すなわち、上方向にスライド移動した場合には次回のルーチンでの上方向のスライド移動が有効であるか否か、又は、下方向にスライド移動した場合には次回のルーチンで下方向のスライド移動が有効であるか否かを判断する。次回のルーチンにおいて同一方向のスライド移動が有効でないと判断した場合、今回スライド移動した方向（上方向又は下方向）に対応するＬＥＤ８ａ又はＬＥＤ８ｂを消灯し、ステップＳ６において、ノブ３が回転したか否かを判断する。
【００５４】
なお、ステップＳ１においてノブ３が上又は下にスライド移動したと判断し、ステップＳ２においてノブ３のスライド移動が有効でないと判断し、又はステップＳ４において次回のルーチンにおいて同一方向のスライド移動が有効であると判断した場合、そのままステップＳ６に進む。
【００５５】
ステップＳ６においてノブ３が回転したと判断した場合、ステップＳ７においてリストスクロールを行い、ステップＳ８において、ノブ３が右又は左にスライド移動したか否か判断する。ステップＳ６においてノブ３が回転していないと判断した場合、そのままステップＳ８に進む。
【００５６】
ステップＳ８においてノブ３が右又は左にスライド移動したと判断した場合、ステップＳ９において、ノブ３のスライド移動が有効であるか否か、すなわち、ノブ３を更に右又は左にスライド移動してタッチパネルディスプレイ２の画面モードの階層遷移ができるか否か判断する。ノブ３のスライド移動が有効であると判断した場合、ステップＳ１０において、タッチパネルディスプレイ２の画面モードの階層遷移を行う。
【００５７】
その後、ステップＳ１１において、次回のルーチンにおいて同一方向のスライド移動が有効であるか否か、すなわち、右方向にスライド移動した場合には次回のルーチンでの右方向のスライド移動が有効であるか否か、又は、左方向にスライド移動した場合には次回のルーチンで左方向のスライド移動が有効であるか否かを判断する。次回のルーチンにおいて同一方向のスライド移動が有効でないと判断した場合、今回スライド移動した方向（右方向又は左方向）に対応するＬＥＤ８ｃ又はＬＥＤ８ｄを消灯し、ステップＳ１３において、イグニションスイッチがオフしたか否かを判断する。
【００５８】
なお、ステップＳ８においてノブ３が右又は左にスライド移動したと判断し、ステップＳ９においてノブ３のスライド移動が有効でないと判断し、又はステップＳ１１において次回のルーチンにおいて同一方向のスライド移動が有効であると判断した場合、そのままステップＳ１３に進む。
【００５９】
ステップＳ１３においてイグニションスイッチがオフしたと判断した場合、本ルーチンを終了する。それに対し、ステップＳ１３においてイグニションスイッチがオフしていないと判断した場合、ステップＳ１に戻る。
【００６０】
図８は、タッチパネルディスプレイの音量調整バーを示す図である。図８に示す音量調整スライドバーは、音量を設定する音量調整釦３１と、音量調整釦３１によって設定された音量に最大音量を制限する音量制限釦３２と、ミュート釦３３とを有する。
【００６１】
このように音量制限釦３２が音量調整スライドバーに設けることによって、最大音量を、音量設定釦３２によって設定された音量に容易に制限することができるので、音量調整スライドバーを用いて音量調整を行う際に最大音量を容易に設定することができる。
【００６２】
また、音量増大釦３４を音量設定釦３１に対して右側に配置するとともに、音量減少釦３５を音量設定釦に対して左側に配置する。これによって、最大音量の微調整が容易になり、音量調整スライドバーを用いて音量調整を行う際に最大音量を更に容易に設定することができる。
【００６３】
また、音量制限釦３２が音量増大釦３４の右側に配置されているので、本来の最大音量と現在設定されている最大音量との関係を理解することができ、音量調整スライドバーを用いて音量調整を行う際に最大音量を更に容易に設定することができる。
【００６４】
音量調整スライドバーは、音量をふきだし３６により数値で表示するとともに、音量減少釦３４においてグラデーションによって表示する。これによって、最大音量を容易に確認することができ、音量調整スライドバーを用いて音量調整を行う際に最大音量を更に容易に設定することができる。なお、グラデーションによる表示は、タッチパネルディスプレイ２にＬＥＤを配置し、ＬＥＤの点灯及び消灯を制御することによって行うことができる。
【００６５】
音量調整スライドバーは、車載用電子機器の操作（例えば、ノブ３の押圧）によって非表示状態にできる。これによって、最大音量を、必要な場合にのみタッチパネルディスプレイ１に表示して設定することができ、音量調整スライドバーを用いて音量調整を行う際に最大音量を更に容易に設定することができる。
【００６６】
音量調整スライドバーをタッチパネルディスプレイ１の下側に平行に配置されている。これによって、ユーザは音量調整スライドバーをタッチパネルディスプレイ１に沿って操作することができ、音量調整スライドバーを用いて音量調整を行う際に最大音量を更に容易に設定することができる。このような音量調整スライドバーは、運転席側からでも助手席側からでも操作しやすい。
【００６７】
図９は、タッチパネルディスプレイの音量調整バーの操作を説明するための図である。図９の上段に示すように、音量制限釦３２によって音量が破線で示す範囲に制限されている場合、音量設定釦３１を、破線より右側に移動することができない。
【００６８】
図９の中段に示すように、音量制限釦３２を押圧して音量制限を解除した場合、音量設定釦３１を、破線より右側に移動することができる。音量設定釦３１を破線より右側に移動した状態で音量制限釦３２を押圧して音量制限を行った場合、図９の下段に示すように、最大音量は、図９の上段に示す最大音量より大きくなる。
【００６９】
本発明は、上記実施の形態に限定されるものではなく、幾多の変更及び変形が可能である。例えば、設定、オーディオ、電話接続又はナビゲーションの画面モードを切り替える場合について説明したが、それ以外の機能の画面モードの切替を行うこともできる。
【図面の簡単な説明】
【００７０】
【図１】車載用電子機器の一実施の形態の正面図である。
【図２】図１に示す車載用電子機器のＩ−Ｉ断面図である。
【図３】車載用電子機器の一実施の形態のノブの操作を説明するための図である。
【図４】ノブの操作によるタッチパネルディスプレイの表示画像の変化を示す図である。
【図５Ａ】タッチパネルディスプレイの画面遷移の一例を示す図である。
【図５Ｂ】タッチパネルディスプレイの画面遷移の一例を示す図である。
【図５Ｃ】タッチパネルディスプレイの画面遷移の一例を示す図である。
【図５Ｄ】タッチパネルディスプレイの画面遷移の一例を示す図である。
【図６】車載用電子機器の一実施の形態のブロック図である。
【図７】車載用電子機器の一実施の形態の動作のフローチャートである。
【図８】タッチパネルディスプレイの音量調整バーを示す図である。
【図９】タッチパネルディスプレイの音量調整バーの操作を説明するための図である。
【符号の説明】
【００７１】
１    タッチパネルディスプレイ
２    パネル
３    ノブ
４ａ，４ｃ，４ｄ    タグ部
５    音量調整バー
６ａ    設定の表示
６ｂ    オーディオの表示
６ｃ    電話接続の表示
６ｄ    ナビゲーションの表示
７ａ，７ｂ，７ｃ，７ｄ，８ａ，８ｂ，８ｃ，８ｄ    発光ダイオード（ＬＥＤ）
１１    オーディオの最上位階層の画面
１２    設定の最上位階層の画面
１３    電話接続の最上位層の画面
１４    ナビゲーションの最上位層の画面
１５    オーディオの第２階層の画面
１６    オーディオの第３階層の画面
１７    オーディオの最下位階層の画面
２１    コントローラ
２２ａ，２２ｂ，２２ｃ，２２ｄ    スイッチ
２３    電源
２４    オーディオユニット
２５    設定ユニット
２６    ナビゲーション装置
２７    電話接続ユニット
２８    メモリ
３１    音量設定釦
３２    音量制限釦
３３    ミュート釦
３４    音量減少釦
３５    音量増大釦
３６    ふきだし
【図１】
2010036620.tif 000003
【図２】
2010036620.tif 000004
【図３】
2010036620.tif 000005
【図４】
2010036620.tif 000006
【図５Ａ】
2010036620.tif 000007
【図５Ｂ】
2010036620.tif 000008
【図５Ｃ】
2010036620.tif 000009
【図５Ｄ】
2010036620.tif 000010
【図６】
2010036620.tif 000011
【図７】
2010036620.tif 000012
【図８】
2010036620.tif 000013
【図９】
2010036620.tif 000014